(57)【要約】【課題】操作中であっても操作画面が他の画面に干渉しない操作システムを提供すること。【解決手段】携帯電話２において、ＣＰＵ１４は、ユーザ操作に対応する操作データを第１ＣＣＵ１１に出力させる。操作データには、出力元のナビ操作の状態を相手先のコンピュータに識別させるための同期データおよび出力元で選択されたメニューを相手先のコンピュータに識別させるためのメニューＩＤデータが含まれている。ナビゲーション装置３において、ＣＰＵ３３は、遷移データをＣＣＵ３１に出力させる。遷移データには、相手先においてとるべきナビ操作の状態を相手先のコンピュータに識別させるための同期データが含まれている。【選択図】図３
2006246113.tif 000002
【特許請求の範囲】
【請求項１】
操作に対応する操作データを出力する操作端末と、この操作端末で出力された操作データに対応する処理を実行する被操作端末とを備える操作システムであって、
前記被操作端末は、操作画面を前記操作端末の表示部上で遷移させるための遷移データを前記操作端末で出力された操作データの入力に応じて通信部に出力させる制御部を備え、
前記操作端末は、前記被操作端末で出力された遷移データに応じて操作画面を前記表示部上で遷移させる表示制御部を備えることを特徴とする操作システム。
【請求項２】
操作端末で出力された操作データに対応する処理を実行する被操作端末であって、
操作画面を前記操作端末の表示部上で遷移させるための遷移データを前記操作端末で出力された操作データの入力に応じて通信部に出力させる制御部を備える被操作端末。
【請求項３】
前記制御部は、遷移先の操作画面に対応する画像データを遷移データとともに通信部に出力させることを特徴とする請求項２に記載の被操作端末。
【請求項４】
前記制御部は、前記操作端末で出力された操作データに対応する処理を実行するか否かを前記操作端末で出力された端末識別データに応じて制御することを特徴とする請求項１に記載の被操作端末。
【請求項５】
前記制御部は、前記操作端末で出力された端末識別データに応じて異なる遷移データを前記通信部に出力させ、一の操作画面からの遷移先を前記操作端末ごとに異ならせることを特徴とする請求項１に記載の被操作端末。
【発明の詳細な説明】
【技術分野】
【０００１】
本発明は、操作端末で被操作端末を操作する操作システムに関するものであって、より詳しくは、携帯端末で映像装置を操作する映像装置操作システムなどに関するものである。
【背景技術】
【０００２】
背景技術として、後席用リモコンが操作されるとナビゲーション画面と操作画面とをディスプレイに分割表示させ、後席用リモコンでの操作に応じて操作画面を遷移させるナビゲーション装置が知られている（例えば、特許文献１を参照）。
【特許文献１】特開２００３−２３１４２７号公報（段落［００４０］、［００４１］、［００６１］および［００６１］ならびに［図６］を参照）
【発明の開示】
【発明が解決しようとする課題】
【０００３】
特許文献１に記載のものにおいては、後席用リモコンが操作されるとナビゲーション画面が小さく表示されてしまうため、ナビゲーションに関する情報が操作者以外の者に対して十分に伝わらなかった。
【０００４】
そこで、本発明は、前述の課題を解決するためになされたもので、操作中であっても操作画面が他の画面に干渉しない操作システムを提供することを目的とする。
【課題を解決するための手段】
【０００５】
本発明は、操作に対応する操作データを出力する操作端末と、この操作端末で出力された操作データに対応する処理を実行する被操作端末とを備える操作システムであって、前記被操作端末は、操作画面を前記操作端末の表示部上で遷移させるための遷移データを前記操作端末で出力された操作データの入力に応じて通信部に出力させる制御部を備え、前記操作端末は、前記被操作端末で出力された遷移データに応じて操作画面を表示部上で遷移させる表示制御部を備えることを特徴とする操作システムである。
【０００６】
特許請求の範囲における字句の解釈は、次のとおりである。「操作に対応する操作データ」とは、操作が行われると出力されるデータであって、被操作端末に対して特定の処理を行わせるためのデータである。
【０００７】
「操作端末」とは、双方向通信が可能であって表示部を備えた装置であり、双方向通信を無線方式とすることが好ましい。例えば、リモートコントローラ、携帯電話（ＰＨＳを含む）やパーソナルコンピュータ（ＰＤＡを含む）などがある。
【０００８】
「被操作端末」とは、双方向通信が可能な映像装置であり、車室内に設けられる装置であるか否かを問わない。例えば、ナビゲーション装置やテレビジョン受信装置などがある。
【０００９】
「操作画面」とは、操作の状況に対応して映し出される像である。例えば、操作前に映し出されるメニュー画面や操作後に映し出される確認画面などがある。
【００１０】
「表示部」とは、映像を映し出す面である。
【００１１】
「遷移」とは、一の状態から他の状態に移る動作である。例えば、メニュー画面から操作確認画面に移る動作などがある。
【００１２】
「操作画面を前記操作端末の表示部上で遷移させるための遷移データ」とは、操作端末からの操作データに対応する処理が被操作端末で行われるまたは同処理が被操作端末で行われたことを操作端末に識別させるためのデータをも含む概念である。
【００１３】
「入力に応じて」とは、入力されたことを条件とすることである。例えば、入力と同時にという条件や入力されてから予め定められた時間が経過した後という条件などがある。
【００１４】
本発明において、前記制御部は、遷移先の操作画面に対応する画像データを遷移データとともに通信部に出力させることを特徴とする。
【００１５】
特許請求の範囲における字句の解釈は、次のとおりである。「遷移先の操作画面」とは、一の操作画面から他の操作画面に移る場合における他の操作画面である。
【００１６】
本発明において、前記制御部は、前記操作端末で出力された操作データに対応する処理を実行するか否かを前記操作端末で出力された端末識別データに応じて制御することを特徴とする。
【００１７】
特許請求の範囲における字句の解釈は、次のとおりである。「端末識別データ」とは、操作データを出力した操作端末を識別するためのデータである。
【００１８】
本発明において、前記制御部は、前記操作端末で出力された端末識別データに応じて異なる遷移データを前記通信部に出力させ、一の操作画面からの遷移先を前記操作端末ごとに異ならせることを特徴とする。
【００１９】
特許請求の範囲における字句の解釈は、次のとおりである。「一の操作画面からの遷移先を前記操作端末ごとに異ならせる」とは、一の操作画面が他の操作画面に移る場合において他の操作画面を操作端末ごとに異ならせることであって、一の操作画面からの遷移先と操作端末との対応付けたデータを用いることが好ましい。
【発明の効果】
【００２０】
本発明は、操作画面を操作端末の表示部上で遷移させるための遷移データを操作端末で出力された操作データの入力に応じて通信部に出力させる制御部を設けることによって、操作中であっても操作画面が他の画面に干渉しないという効果を有する操作システムを提供することができるものである。
【発明を実施するための最良の形態】
【００２１】
以下、本発明に係る映像装置操作システムを実施するための最良の形態について、図１ないし図６を参照しながら説明する。
【００２２】
＜全体構成について＞本実施の形態に係る映像装置操作システム１の構成を図１および図２を参照しながら説明する。図１に示すように、映像装置操作システム１（「操作システム」に相当する）は、双方向無線通信が可能な携帯電話２（「操作端末」に相当する）と、携帯電話２との間で双方向無線通信が可能なナビゲーション装置３（「被操作端末」に相当する）とを備える。本実施の形態では、双方向無線通信の方式として、２．４Ｇｈｚ帯域を利用するブルートゥース（商標登録）方式が用いられている。
【００２３】
＜携帯電話２の構成について＞図２に示すように、携帯電話２は、ナビゲーション装置３との通信を制御する第１ＣＣＵ１１と、公衆回線との通信を制御する第２ＣＣＵ１２と、各種プログラムを格納するＲＯＭ１３（「表示制御部」に相当する）と、ＲＯＭ１３に格納されたプログラムを実行するＣＰＵ１４（「表示制御部」に相当する）と、各種データを保持するＲＡＭ１５と、データの入出力のためにＲＡＭ１５と各種周辺機器との間に介在する入出力ＩＦ１６とを備え、これらは互いにバスで接続されている。
【００２４】
ＲＯＭ１３には、通話処理を実行するための通話プログラムの他に、ナビゲーション装置３に対して特定の処理を行わせる（以下、ナビ操作という）操作データを出力するためのナビ操作プログラムが格納されている。ナビ操作プログラムは、第１ＣＣＵ１１を介してナビゲーション装置３から取得されてもよいし、第２ＣＣＵ１２を介して公衆回線上のサーバから取得されてもよい。また、ＲＯＭ１３には、操作データを構成する各種データや操作画面に対応する画像データなどが記憶されている。
【００２５】
入出力ＩＦ１６において、その入力側には、マイク２１および操作スイッチ２２が接続されており、これらからのデータはＲＡＭ１５に入力される。他方、出力側には、スピーカ２３およびディスプレイ２４（「表示部」に相当する）が接続されており、ＣＰＵ１４などからのデータがスピーカ２３およびディスプレイ２４側に出力される。
【００２６】
＜ナビゲーション装置３の構成について＞図２に示すように、ナビゲーション装置３は、携帯電話２との通信を制御するＣＣＵ３１（「通信部」に相当する）と、各種プログラムを格納するＲＯＭ３２（「制御部」に相当する）と、ＲＯＭ３２に格納されたプログラムを実行するＣＰＵ３３（「制御部」に相当する）と、各種データを保持するＲＡＭ３４と、データの入出力のためにＲＡＭ３４と各種周辺機器との間に介在する入出力ＩＦ３５と、各種データを記憶するＨＤＤ３６とを備え、これらは互いにバスで接続されている。
【００２７】
ＲＯＭ３２には、携帯電話２からの操作データに対応するナビゲーション処理を実行するためのナビゲーションプログラムの他に、操作データに応じて遷移データを出力するための遷移プログラムが格納されている。
【００２８】
入出力ＩＦ３５において、その入力側には、方位センサ４１、速度センサ４２、ＧＰＳ受信機４３および操作スイッチ４４が接続されており、これらからのデータはＲＡＭ３５に入力される。他方、出力側には、スピーカ４５およびディスプレイ４６が接続されており、ＣＰＵ３４などからのデータがスピーカ４５およびディスプレイ４６側に出力される。
【００２９】
＜動作について＞以上のように構成された映像装置操作システム１について、図３ないし図６を参照しながらその動作を説明する。図３に示すように、携帯電話２では、ＣＰＵ１４がＲＯＭ１３に格納された各プログラムを解釈し、ナビゲーション装置３では、ＣＰＵ３３がＲＯＭ３２に格納された各プログラムを解釈して、次の処理が実行される。
【００３０】
携帯電話２において、ＣＰＵ１４は、操作スイッチ２２でなされたユーザの起動指示に応じてナビ操作プログラムを起動する（ステップＳ１）。このとき、ディスプレイ２４では、「＠アプリ」画面（図４（ａ）を参照）を「アプリ起動中」画面（図４（ｂ）を参照）に切り換えることが好ましい。また、ナビゲーション装置３であることをＣＰＵ１４に識別させるためのデータを予め登録しておき、このデータがナビゲーション装置３から受信されたことを条件に起動処理が行われてもよい。
【００３１】
ナビ操作プログラムの起動が完了すると、ＣＰＵ１４は、操作メニュー画面をディスプレイ２４に表示させる（ステップＳ２）。このとき、ディスプレイ２４では、操作画面として「操作メニュー」が表示され（図４（ｃ）を参照）、ユーザは操作スイッチ２２によってメニューを選択する（Ｐ１）。本実施の形態では、経路案内が選択されたことを前提に以下の説明をする。
【００３２】
経路案内が選択されると、ＣＰＵ１４は、ユーザ操作に対応する操作データを第１ＣＣＵ１１に出力させる（ステップＳ３）。ここで、操作データは、ＲＯＭ１３に記憶された各種データを組み合わせてなるデータである。図５に示すように、操作データには、操作データであることを相手先のコンピュータに識別させるためのヘッダデータ、出力元を相手先のコンピュータに識別させるための端末識別データ、出力元のナビ操作の状態を相手先のコンピュータに識別させるための同期データおよび出力元で選択されたメニューを相手先のコンピュータに識別させるためのメニューＩＤデータが含まれている。ステップＳ３において、操作データには、携帯電話２においてナビ操作が開始されたことをナビゲーション装置３のＣＰＵ３３に識別させるためのデータが同期データとして含まれ、選択されたメニューが経路案内であることをナビゲーション装置３のＣＰＵ３３に識別させるためのデータがメニューＩＤデータとして含まれている。
【００３３】
携帯電話２において操作データが出力されると、ナビゲーション装置３において、ＣＰＵ３３は、入出力ＩＦ３５に対してＣＣＵ３１によって受信された操作データをＲＡＭ３４に入力させる（ステップＳ４）。このとき、同期データが携帯電話２においてナビ操作が開始されたことを示しているので、端末識別データを用いて携帯電話２以外の携帯電話からの操作データを無効にする処理が行われる。また、操作データが入力されても、ディスプレイ４６は、メニューＩＤデータに対応する操作画面を表示せず、専らナビゲーション画面を表示している（図６（ａ）を参照）。
【００３４】
操作データが入力されると、ＣＰＵ３３は、遷移データをＣＣＵ３１に出力させる（ステップＳ５）。ここで、遷移データは、ＨＤＤ３６に記憶された各種データを組み合わせてなるものである。図５に示すように、遷移データには、遷移データであることを相手先のコンピュータに識別させるためのヘッダデータ、出力元をコンピュータに識別させるための端末識別データおよび相手先においてとるべきナビ操作の状態を相手先のコンピュータに識別させるための同期データが含まれている。ステップＳ５では、遷移データには、携帯電話２においてナビ操作を継続すべきことを携帯電話２のＣＰＵ１４に識別させるためのデータが同期データとして含まれる。
【００３５】
ナビゲーション装置３において遷移データが出力されると、携帯電話２において、ＣＰＵ１４は、入出力ＩＦ１６に対して第１ＣＣＵ１１によって受信された遷移データをＲＡＭ１５に入力させる（ステップＳ６）。
【００３６】
遷移データが入力されると、ＣＰＵ１４は、遷移データに対応する操作画面をディスプレイ２４に表示させる（ステップＳ７）。ステップＳ６では、携帯電話２においてナビ操作を継続すべきことを携帯電話２のＣＰＵ１４に識別させるためのデータが同期データとして入力されているので、遷移先の操作画面として「経路案内メニュー」がディスプレイ２４に表示され（図４（ｄ）を参照）、ユーザは操作スイッチ２２によってメニューを選択する（Ｐ２）。本実施の形態では、ステップＳ３からステップＳ７までの処理と同様の処理が繰り返され、操作画面は「経路案内メニュー」（図４（ｄ）を参照）、「表示設定メニュー」（図４（ｅ）を参照）、「施設表示メニュー」（図４（ｆ）を参照）および「コンビニ表示」（図４（ｇ）を参照）の順で遷移する。以下では、最終的にコンビニ表示の有効が選択されたとして説明を進める。
【００３７】
コンビニ表示の有効が選択されると、ＣＰＵ１４は、ユーザ操作に対応する操作データを第１ＣＣＵ１１に出力させる（ステップＳ８）。このとき、操作データには、携帯電話２においてナビ操作が終了することをナビゲーション装置３のＣＰＵ３３に識別させるためのデータが同期データとして含まれ、選択されたメニューがコンビニ表示の有効であることをナビゲーション装置３のＣＰＵ３３に識別させるためのデータがメニューＩＤデータとして含まれている。
【００３８】
携帯電話２において操作データが出力されると、ナビゲーション装置３において、ＣＰＵ３３は、入出力ＩＦ３５に対してＣＣＵ３１によって受信された操作データをＲＡＭ３４に入力させる（ステップＳ９）。このとき、同期データが携帯電話２においてナビ操作が終了することを示しているので、端末識別データを用いて携帯電話２以外の携帯電話からの操作データを有効にする処理が行われる。
【００３９】
操作データが入力されると、ＣＰＵ３３は、操作データに対応する処理を実行する（ステップＳ１０）。本実施の形態では、操作データに含まれるメニューＩＤデータがコンビニ表示の有効を示しているので、ＣＰＵ３３は、ディスプレイ４６に対してコンビニマークである「ＣＶＳ」をナビゲーション画面とともに表示させる（図６（ｂ）を参照）。
【００４０】
操作データに対応する処理が実行されると、ＣＰＵ３３は、遷移データをＣＣＵ３１に出力させる（ステップＳ１１）。遷移データには、携帯電話２においてナビ操作を完了すべきことを携帯電話２のＣＰＵ１４に識別させるためのデータが同期データとして含まれる。
【００４１】
ナビゲーション装置３において遷移データが出力されると、携帯電話２において、ＣＰＵ１４は、入出力ＩＦ１６に対して第１ＣＣＵ１１によって受信された遷移データをＲＡＭ１５に入力させる（ステップＳ１２）。
【００４２】
遷移データが入力されると、ＣＰＵ１４は、遷移データに対応する操作画面をディスプレイ２４に表示させる（ステップＳ１３）。ステップＳ１２では、携帯電話２においてナビ操作を完了すべきことを携帯電話２のＣＰＵ１４に識別させるためのデータが同期データとして入力されているので、遷移先の操作画面として「操作が完了しました」がディスプレイ２４に表示される（図４（ｈ）を参照）。
【００４３】
＜本実施の形態における効果＞以上本実施の形態によれば、携帯電話２はナビゲーション装置３からの遷移データに応じて操作画面をディスプレイ２４に遷移表示させるので、ナビゲーション装置３は操作途中の操作画面をディスプレイ４６で表示させなくてもよくなり、操作中であっても操作画面によって他の画面が干渉されない。つまり、操作中であっても操作者以外のものに対してナビゲーション情報を十分に伝えることができる。
【００４４】
＜変形例＞以上の説明では、操作画面に対応する画像データがＲＯＭ１３に格納されているが、他の実施の形態でも構わない。例えば、ナビゲーション装置３が、ＨＤＤ３６から当該画像データを読み出して遷移データとともに出力してもよい。また、携帯電話２が、遷移データを受信すると公衆回線上のサーバから当該画像データを取得してもよい。これらの実施の形態によれば、携帯電話２は適宜必要な画像データをＲＡＭ１５に保持すれば足りるので、全ての操作画面に対応する画像データを常時記憶しておくための記憶媒体を携帯電話２に設ける必要がなくなる。
【００４５】
以上の説明では、操作画面が「経路案内メニュー」（図４（ｄ）を参照）、「表示設定メニュー」（図４（ｅ）を参照）、「施設表示メニュー」（図４（ｆ）を参照）および「コンビニ表示」（図４（ｇ）を参照）の順で遷移しているが、「経路案内メニュー」（図４（ｄ）を参照）から「コンビニ表示」（図４（ｇ）を参照）に直接に遷移しても構わない。具体的には、ナビゲーション装置３は、コンビニ表示を遷移先の操作画面とする遷移データと携帯端末２を示す端末識別データとの対応関係をＨＤＤ３６に記憶する。ナビゲーション装置３は、操作開始の状態を示す同期データを携帯端末２から受信すると、コンビニ表示を遷移先の操作画面とする遷移データを出力する。この実施の形態によれば、途中の操作を省略するか否かを携帯電話ごとに異ならせることができる。また、許可すべき操作を携帯電話ごとに異ならせることができる。
【産業上の利用可能性】
【００４６】
以上のように、本発明に係る操作システムは、操作中であっても操作画面が他の画面に干渉しないという効果を有し、携帯端末で映像装置を操作する映像装置操作システムなどとして有用である。
【図面の簡単な説明】
【００４７】
【図１】本発明を実施するための最良の形態である映像装置操作システムの概略を示す概略図
【図２】本発明を実施するための最良の形態である映像装置操作システムの構成を示すブロック図
【図３】本実施の形態における映像装置操作システムの動作を示すフローチャート
【図４】（ａ）携帯電話におけるアプリケーション選択画面の表示例を示す図（ｂ）携帯電話におけるアプリケーション起動画面の表示例を示す図（ｃ）携帯電話における操作メニュー選択画面の表示例を示す図（ｄ）携帯電話における経路案内メニュー選択画面の表示例を示す図（ｅ）携帯電話における表示設定メニュー選択画面の表示例を示す図（ｆ）携帯電話における施設メニュー選択画面の表示例を示す図（ｇ）携帯電話におけるコンビニ表示メニュー選択画面の表示例を示す図（ｈ）携帯電話における操作完了画面の表示例を示す図
【図５】本実施の形態における操作データおよび遷移データのデータ構成を示す図
【図６】（ａ）携帯電話での操作中におけるナビゲーション装置のディスプレイの表示例を示す図（ｂ）携帯電話での操作終了後におけるナビゲーション装置のディスプレイの表示例を示す図
【符号の説明】
【００４８】
１    映像装置操作システム（操作システム）
２    携帯電話（操作端末）
３    ナビゲーション装置（被操作端末）
１３    ＲＯＭ（表示制御部）
１４    ＣＰＵ（表示制御部）
２４    ディスプレイ（表示部）
３１    ＣＣＵ（通信部）
３２    ＲＯＭ（制御部）
３３    ＣＰＵ（制御部）
【図１】
2006246113.tif 000003
【図２】
2006246113.tif 000004
【図３】
2006246113.tif 000005
【図４】
2006246113.tif 000006
【図５】
2006246113.tif 000007
【図６】
2006246113.tif 000008